(57)【要約】【課題】ハウス内の空気（熱気）を排気フアンによって外気と入れ替えるようにした植物栽培温室において、ハウス内を安価に且つ効率よく冷房し得るようにする。【解決手段】ハウス本体１内の空気をハウス外に排出する排気フアン５を設け、ハウス側面１１にハウス内外に連通する通気部１１ｂを設け、ハウス側面１１の外側に通気部１１ｂと連通する空所４０を隔てて囲い材４を設置し、囲い材４の外側面に防虫ネット４１を張設し、上記空所４０内に細霧冷房装置８を設け、排気フアン５と細霧冷房装置８を作動させることで、外気が囲い材４の防虫ネット４１を通して空所４０内に導入され、その導入外気が細霧冷房装置８で細霧冷房され、その細霧冷房された冷却空気が通気部１１ｂを通ってハウス本体１内に吸引されることにより、細霧冷房装置８による冷却空気の全量を無駄なくハウス内の冷房に利用できるようにしている。【選択図】  図２
2020014441.tif 000002
【特許請求の範囲】
【請求項１】
上部を透明な被覆材（２）で被覆し且つハウス側面（１１，１１）にハウス内外を連通させる通気部（１１ｂ，１１ｂ）を設けているハウス本体（１）を備え、
上記ハウス本体（１）の適所に該ハウス本体（１）内の空気をハウス外に排出する排気フアン（５）を設け、
上記ハウス側面（１１，１１）の外側に上記通気部（１１ｂ，１１ｂ）と連通する空所（４０，４０）を隔ててそれぞれ囲い材（４，４）を設置し、
上記囲い材（４，４）における上記ハウス側面（１１，１１）に対面する外側面に通気可能な防虫ネット（４１，４１）を張設し、
上記ハウス側面（１１，１１）と上記囲い材（４，４）との間の空所（４０，４０）に、水を細霧にして空気中に噴霧し該噴霧が外気温で蒸発するときの気化熱により上記空所（４０，４０）内の空気を細霧冷房する細霧冷房装置（８，８）を設けているとともに、
上記ハウス本体（１）内の空気を上記排気フアン（５）で強制排気しながら上記細霧冷房装置（８，８）を作動させることで、外気が上記囲い材（４，４）の防虫ネット（４１，４１）を通して上記空所（４０，４０）内に導入され、その導入外気が空所（４０，４０）内で上記細霧冷房装置（８，８）で細霧冷房された後、その細霧冷房された冷却空気が上記ハウス側面（１１，１１）の通気部（１１ｂ，１１ｂ）から上記ハウス本体（１）内に導入されて該ハウス本体（１）内を冷房するように構成している、
ことを特徴とする植物栽培温室。
【請求項２】
請求項１において、
上記ハウス本体（１）内を上下に区画する区画材（６）により天井側の上部室（２１）と栽培室となる下部室（２２）との上下２室に区画し、
上記区画材（６）の中央部付近に上記上部室（２１）と上記下部室（２２）を連通させる通気穴（６２）を設け、
上記排気フアン（５）は上記上部室（２１）内の空気をハウス外に排出するように設置し、
上記下部室（２２）を上記細霧冷房装置（８，８）で細霧冷房した冷却空気で冷房するようにしているとともに、
上記上部室（２１）内の空気を上記排気フアン（５）で強制排気することで、上記下部室（２２）内の空気が上記通気穴（６２）から集中して上記上部室（２１）内に吸引されるように構成している、
ことを特徴とする植物栽培温室。
【発明の詳細な説明】
【技術分野】
【０００１】
本願発明は、草花、果菜、野菜等の植物を栽培するための植物栽培温室に関するものである。尚、本願が対象にしている植物栽培温室は、パイプ材やアングル材等で組立てた骨格体の外側を透明の被覆材（ビニールシートやガラス板）で被覆したものであって、一般に農業用ハウスと称されているものである。そして、以下の説明では、本願の植物栽培温室を農業用ハウス又は単にハウスということがある。
【背景技術】
【０００２】
基本的な農業用ハウスとして、骨格体（パイプ材やアングル材等で組立てたもの）の外側を透明な被覆材（ビニールシートやガラス板等）で覆って雨水の侵入を防止する一方で、ハウスの側面下部に防虫ネットを張設してハウス内の通気性を確保するようにしたものがある。
【０００３】
ところで、上記のようなハウスにおいては、特に夏季の日照時には、透明な被覆材を通して日射熱でハウス内が４０℃以上の高温になることが通例であり、その場合には、高温による作物への悪影響が出る一方、作業に従事する作業員の作業環境が劣悪になる。従って、夏の高温時期には、多くの農家がハウス栽培を休止しているのが現状である。
【０００４】
他方、夏季の高温時にハウス内を冷凍機で冷やすものも散見されるが、その場合は、設備費が高価となり且つ運転コスト（電気代）も高くつくので、一般に普及していない。
【０００５】
又、従来から、ハウス内が過度に高温になるのを防止するために、ハウス壁面に排気フアンを設けてハウス内の熱気を外気と強制的に入れ替えるようにしたものもあるが、この場合、夏季の日中においては外気温度が異常高温（例えば３５℃超）になることがあり、その高温外気をハウス内に吸引しても、ハウス内の空気が外気と入れ替わるものの、日射による熱が加わることもあって外気温を超える異常高温による種々の悪影響が発生することを回避できない。
【０００６】
ところで、本件出願人は、特許第６０８１００３号公報（特許文献１）に示されるように、細霧冷房装置で発生させた細霧を利用して、ハウス本体内を細霧冷房するようにした植物栽培温室の特許を取得している。
【０００７】
この特許第６０８１００３号の植物栽培温室は、図４〜図６に示すように、上部を透明な被覆材２で覆ったハウス本体１の妻面（後側妻面）１３にハウス本体１内の空気をハウス外に排出する排気フアン５を設け、ハウス本体１の側面１１に防虫ネット３を張設し、該防虫ネット３を張設したハウス本体１の側面１１の外側近傍位置に細霧冷房装置８を設けている。
【０００８】
尚、ハウス本体１内の空気は、後側妻面１３の排気フアン５により外気中に強制排気されるが、ハウスが長いものでは、ハウス本体１内の天井部付近にハウス長さ方向の適数箇所に補助送風フアン９Ａ，９Ｂ（図５参照）を設置することにより、ハウス内の全長に亘って空気がスムーズに流れるようにすることができる。
【０００９】
防虫ネット３は、微小害虫の侵入も阻止するために、網目空間が０.３〜０.４mm程度の微細目のものを使用している。
【００１０】
細霧冷房装置８は、ハウス本体側面１１（防虫ネット３）の外側近傍位置に多数の細霧噴出ノズル８１，８１・・を配置し、ポンプ８２から配水管８０を通して供給される水を各細霧噴出ノズル８１，８１・・から細霧Ｆにして大気中に噴霧させることで、該噴霧Ｆが外気温で蒸発するときの気化熱により周辺の空気を細霧冷房し得るようにしたものである。
【００１１】
そして、図４〜図６（公知例）の植物栽培温室では、排気フアン５を作動させると、図５に矢印Ａ１で示すようにハウス本体１内の空気が外気中に強制排気され（必要に応じて補助送風フアン９Ａ，９Ｂでハウス本体１内の空気を矢印Ａ２のように排気フアン５側に送る）、それによってハウス本体１内が負圧になることでハウス側面１１の防虫ネット３部分から矢印Ａ３で示すように外気がハウス本体１内に吸引されるようになっている。
【００１２】
このとき上記細霧冷房装置８を作動させていると、該細霧冷房装置８の各細霧噴出ノズル８１，８１・・から噴出する細霧Ｆが外気中で蒸発するときの気化熱により防虫ネット３の外側近傍位置にある外気を細霧冷房し、その細霧冷房された冷却空気が防虫ネット３の網目を通ってハウス本体１内に吸引され、その吸引された冷却空気によってハウス本体１内を冷房することができる。
【００１３】
このように、細霧冷房装置８を用いてハウス内の冷房を行うものでは、細霧Ｆの気化熱を利用するので、電気式の冷房装置に比して設備コストや運転コストが安価になるという利点がある。
【先行技術文献】
【特許文献】
【００１４】
【特許文献１】特許第６０８１００３号公報
【発明の概要】
【発明が解決しようとする課題】
【００１５】
ところで、図４〜図６（公知例）の植物栽培温室では、ハウス内の冷房用に上記細霧冷房装置８を使用しているので、冷房装置として設備コストや運転コストが安価になるという利点があるものの、次のような改善すべき点が知見された。
【００１６】
即ち、図４〜図６（公知例）の植物栽培温室では、細霧冷房装置８による細霧冷房を、ハウス本体側面１１に張設している防虫ネット３の外側近傍位置で行うので、排気フアン５による排気でハウス本体１内が負圧であっても、防虫ネット外側で細霧冷房された冷却空気はその一部（図５、図６の符号Ｆａ）しか防虫ネット３を通してハウス本体１内に吸引されずに、大部分（図５、図６の符号Ｆｂ）の冷却空気はそのまま大気中に飛散してしまうことが知見された。
【００１７】
従って、図４〜図６（公知例）の植物栽培温室のように、防虫ネット３の外側で細霧冷房装置８により外気を細霧冷房するのは、その細霧冷房による冷却空気の利用効率が悪いものとなっていた（無駄になる冷却空気量が多かった）。
【００１８】
そこで、本願発明は、先に特許取得した特許第６０８１００３号（図４〜図６）の植物栽培温室をさらに改良したものであって、細霧冷房装置で生成した冷却空気をハウス外に飛散させることなく全量をハウス内の冷房に用いることができるようにした植物栽培温室（農業用ハウス）を提供することを目的としている。
【課題を解決するための手段】
【００１９】
本願発明は、上記課題を解決するための手段として次の構成を有している。尚、本願発明は、植物を栽培するための植物栽培温室（農業用ハウス）を対象としたものであり、特に日差しの強い季節（主に夏季に使用されるが春季、秋季でも使用可能）の日中に好適なものである。
【００２０】
［本願請求項１の発明］
本願請求項１の発明の植物栽培温室は、
上部を透明な被覆材で被覆し且つハウス側面にハウス内外を連通させる通気部を設けているハウス本体を備え、
ハウス本体の適所に該ハウス本体内の空気をハウス外に排出する排気フアンを設け、
ハウス側面の外側に通気部と連通する空所を隔てて囲い材を設置し、
囲い材におけるハウス側面に対面する外側面に通気可能な防虫ネットを張設し、
ハウス側面と囲い材との間の空所に、水を細霧にして空気中に噴霧し該噴霧が外気温で蒸発するときの気化熱により上記空所内の空気を細霧冷房する細霧冷房装置を設けているとともに、
ハウス本体内の空気を排気フアンで強制排気しながら細霧冷房装置を作動させることで、外気が囲い材の防虫ネットを通して空所内に吸引され、その吸引外気が空所内において細霧冷房装置で細霧冷房された後、その細霧冷房された冷却空気がハウス側面の通気部からハウス本体内に吸引されてハウス本体内を冷房するように構成している、
ことを特徴としている。
【００２１】
ハウス本体は、パイプ材やアングル材等で組立てた骨格体の外側上部を透明の被覆材（ビニールシートやガラス板）で被覆して構成されたものである。
【００２２】
ハウス本体のハウス側面には、ハウス内外を連通させる通気部を設けているが、この通気部は、ハウス周囲の長い範囲に設けたもので、空間が大きい荒目網や所定高さを有した横長開放部のような通気抵抗がほとんどない状態のものである。
【００２３】
ハウス側面の外側には、所定幅の空所を隔てて囲い材を設置し、該囲い材の外側面に防虫ネットを張設している。この防虫ネットは、最近では、オンシツコナジラミやスリップスなどの微小害虫の侵入も阻止するために、網目空間が０.３〜０.４mm程度の微細目のものを多用している。
【００２４】
そして、本願の植物栽培温室では、上記排気フアンを作動させると、ハウス本体内が負圧になることで、ハウス側面の通気部、上記空所、及び囲い材の防虫ネットを介して外気がハウス内に吸引されるようになっている。
【００２５】
上記細霧冷房装置は、水を細霧（非常に微細な水滴）にして空気（高温空気）中に噴霧させることで、該細霧が空気中で蒸発するときの気化熱により空気を冷やすことができるようにしたものである。
【００２６】
そして、この細霧冷房装置は、ハウス側面と囲い材との間の空所内において、囲い材の防虫ネットの張設範囲に亘ってそれぞれ所定間隔をもって多数の細霧噴出ノズルを設置したものである。
【００２７】
この請求項１の植物栽培温室は、次のように機能する。まず、日中において日光がハウス内に照射するとハウス内の空気が日射熱で加温されるが、排気フアンを作動させていると、ハウス内の空気が外気中に強制排気されることで該ハウス内が負圧になり、そのときの不足空気（外気）をハウス外から囲い材の防虫ネットを通して空所内に吸引し、さらに該空所内の空気をハウス側面の通気部を通してハウス内に吸引するようになる。尚、ハウス内外に上記のような気圧差が生じると、防虫ネットの網目が微小なものでも（自然状態で通気性に乏しい性状でも）、空気が自然に高圧側（ハウス外）から低圧側（ハウス内）に流動するようになる。又、このような空気の流れは、排気フアンの作動中は連続して行われるとともに、無風状態であってもハウス内の空気の入れ替えが確実に行われる。
【００２８】
このように排気フアン作動状態で上記細霧冷房装置を作動させていると、上記空所内において多数の細霧噴出ノズルから細霧が連続して噴出されるが、この噴出細霧には防虫ネットを通過して空所内に吸引された直後の高温外気（例えば３０℃超の外気）が順次接触し、上記噴出細霧が外気の熱で蒸発（気化）してその気化熱により防虫ネット内側（空所内）の広範囲にある空気が冷やされる（外気温度以下になる）。
【００２９】
そして、上記細霧冷房された冷却空気は、上記排気フアンが作動していることにより、空所からハウス側面の通気部を通してハウス内の広範囲の空間に拡散して該ハウス内の全域を冷房した後、外気中に排出される。尚、この細霧冷房装置によるハウス内冷房機能は連続して行われる。
【００３０】
この請求項１の発明の植物栽培温室では、細霧冷房装置がハウス側面と囲い材との間の空所に設置されており、しかも運転中は排気フアンによりハウス内が常に負圧になっているので（空気は防虫ネットの外側から空所を介してハウス内に向けて流れる）、この細霧冷房装置から噴出された細霧で細霧冷房した冷却空気は防虫ネットを通ってハウス外に流出することはない。つまり、上記空所内の気圧が防虫ネット外側の外気圧より常に低いので、空所内で冷やされた冷却空気は防虫ネット内側から防虫ネット外側に向けて流れることはない。
【００３１】
従って、この請求項１の発明の植物栽培温室では、細霧冷房装置により空所内で生成した冷却空気の全量をハウス内に吸引させることができる。
【００３２】
［本願請求項２の発明］
本願請求項２の発明は、上記請求項１の植物栽培温室において、
ハウス本体内を上下に区画する区画材により天井側の上部室と栽培室となる下部室との上下２室に区画し、
区画材の中央部付近に上部室と下部室を連通させる通気穴を設け、
排気フアンは上部室内の空気をハウス外に排出するように設置し、
下部室を細霧冷房装置で細霧冷房した冷却空気で冷房するようにしているとともに、
上部室内の空気を排気フアンで強制排気することで、下部室内の空気が通気穴から集中して上部室内に吸引されるように構成している、
ことを特徴としている。
【００３３】
この請求項２の発明の植物栽培温室において、ハウス本体内を上下２室に区画する区画材は、栽培室となる下部室に上方（上部室側）からの日光を透過させる必要から、透光性を有した材質のものが採用される。尚、この区画材としては、ある程度の遮光性を有した遮光ネット（通気性あり）や半透明の遮光シート又は反射シート（通気性なし）等が使用可能であるが、遮光ネットを使用したものでもある程度の空気通過抵抗を有するものが使用される。
【００３４】
そして、この区画材は、上部室と下部室とを通気可能にする必要があるが、その通気許容構造として、区画材の中央部付近に所定大きさの通気穴を設けている。この通気穴は、直径が例えば５０cm〜１ｍ程度の大きさで、下部室の中央部付近に対応する位置に設けている。尚、この通気穴の大きさ又は個数は、特に限定するものではなく、ハウスの容積に応じて適宜に設定できる。
【００３５】
本願請求項２の発明の植物栽培温室は、次のように機能する。まず、日中において日光がハウス内に照射すると、その日光が届く上部室内及び下部室内が日射熱でそれぞれ加温されるが、上部室内の空気が排気フアンで強制的に排出されるので、ハウス内の空気の流れは下部室側から上部室側への一方通行になり、もし上部室内の空気が過度に加温されても、該上部室内の加温空気が下部室内に流入することがない。
【００３６】
他方、請求項１に記載した細霧冷房装置を作動させていると、栽培室となる下部室の全域が細霧冷房装置で細霧冷房された後、その下部室の空気は、下部室の中央部付近に位置する区画材の通気穴から集中して上部室に吸引される。そして、このように下部室の空気が下部室中央部付近から集中して上部室に吸引されるようにすると、細霧冷房装置により上記空所内から下部室内に流入した冷却空気を該下部室内の広範囲の空間から吸引することができる。
【発明の効果】
【００３７】
［本願請求項１の発明の効果］
本願請求項１の発明の植物栽培温室は、次のような効果がある。
（１）  この請求項１の植物栽培温室は、排気フアンによりハウス内の空気をハウス外に排出することで、外気を囲い材の防虫ネット張設部分から空所を介してハウス内に導入させるようにしたものであるが、空所内の空気が細霧冷房装置からの細霧による気化熱で外気温度より冷やされるので、ハウス内の空気を外気温度以下に維持させることができる。
【００３８】
従って、ハウス内での高温による作物育成環境や作業に従事する作業員の作業環境等がそれぞれ改善できるので、外気が高温となる季節（主として夏季）においてもハウス栽培が可能となるとともに、良好な環境で作物の育成が行えるという効果がある。
（２）  この請求項１の植物栽培温室で使用されている細霧冷房装置は、細霧の気化熱で外気を冷房し得るものであるので、冷房装置として設備費が安価となるとともに運転コストも安価となるという効果がある。
（３）  細霧冷房装置が設置されている空所内は、運転中は排気フアンによりハウス本体内を介して常に負圧になっていることで、空気の流れが囲い材の防虫ネット外側からハウス本体内への一方向のみとなる（つまり、細霧冷房装置により空所内で生成された冷却空気は囲い材の防虫ネットを通ってハウス外に流出することがない）。
【００３９】
従って、細霧冷房装置で生成した冷却空気の全量を無駄なくハウス内の冷房に利用できるという効果がある。即ち、特許文献１の植物栽培温室に比して細霧冷房装置によるハウス内の冷房機能を大幅にアップすることができる。
【００４０】
［本願請求項２の発明の効果］
本願請求項２の発明は、上記請求項１の植物栽培温室において、ハウス本体内を区画材により上部室と下部室に区画し、区画材の中央部付近（下部室の中央部付近に相当する位置）に通気穴を設けて、上部室内の空気を排気フアンで強制排気することで、下部室内の空気が通気穴から集中して上部室内に吸引されるように構成している。
【００４１】
そして、この請求項２の発明の植物栽培温室では、下部室内で細霧冷房装置により生成された冷却空気が区画材の中央部付近に位置する通気穴から集中して上部室に吸引されるようになっている。
【００４２】
従って、この請求項２の発明では、細霧冷房装置により下部室内で生成された冷却空気を該下部室内の広範囲の空間から吸引することができるので、上記請求項１の効果に加えて、栽培室となる下部室内の全域をほぼ均一に冷房することができるという効果がある。
【図面の簡単な説明】
【００４３】
【図１】本願発明の実施例に係る植物栽培温室（ハウス）の斜視図である。
【図２】図１のハウスにおける長手方向の縦断面図（図１のII−II断面図）である。
【図３】図１のハウスにおける幅方向の縦断面図（図１のIII−III断面図）である。
【図４】公知（特許文献１）の植物栽培温室（ハウス）の斜視図である。
【図５】図４のハウスにおける長手方向の縦断面図（図４のＶ−Ｖ断面図）である。
【図６】図４のハウスにおける幅方向の縦断面図（図４のVI−VI断面図）である。
【発明を実施するための形態】
【００４４】
以下、図１〜図３を参照して本願実施例の植物栽培温室を説明する。尚、以下の実施例の説明においても、本願の植物栽培温室を単にハウスということがある。
【００４５】
図１〜図３に示す実施例の植物栽培温室（ハウス）は、パイプ材やアングル材等で組立てた骨格体の外側を透明の被覆材２で被覆してハウス本体１を構成している。尚、各図にはハウス本体１の骨格体（パイプ材やアングル材等）は図示省略している。
【００４６】
この実施例で採用しているハウス本体１の大きさ・形状は、特に限定するものではないが、ハウス妻面１２（及び１３）が例えば幅６〜１０ｍ、高さ４〜５ｍ程度、前後長さが例えば３０〜５０ｍ程度の大きさのカマボコ型に形成している。
【００４７】
ハウス本体１内は、区画材６により天井側の上部室２１と栽培室となる下部室２２との上下２室に区画している。
【００４８】
ハウス本体１の上部室２１を被覆する屋根部２には透明シートを使用している。ハウス本体１の下部室２２における左右各側のハウス側面１１，１１には、後述するようにそれぞれ上部に通気部１１ｂを設け下部に遮蔽部１１ａを設けている。尚、この実施例では、前後妻面１２，１３の各下方部分１２ｂ，１３ｂにおける左右各側の所定幅も、ハウス側面１１と同様に上部に通気部１１ｂを設けている一方で下部に遮蔽部１１ａを設けており、この前後妻面１２，１３の各下方部分１２ｂ，１３ｂにおける通気部１１ｂと遮蔽部１１ａを設けた部分もハウス側面１１として扱う。
【００４９】
前後妻面１２，１３の各上方部分１２ａ，１３ａには、透明シートが張設されている。前後妻面１２，１３の各下方部分１２ｂ，１３ｂには、開閉可能な出入口（扉）１５，１６（図１参照）を設けている。
【００５０】
屋根部２の透明シート及び前後妻面１２，１３の上方部分１２ａ，１３ａの透明シート
は、雨水の透過を阻止する防水性と日光の透過を許容する透光性とを有したビニールシートが採用されている。
【００５１】
左右各側のハウス側面１１，１１（及び前後妻面の下方部分１２ｂ，１３ｂ）は、下部をシート材からなる遮蔽部１１ａとする一方で上部の所定高さ範囲にハウス内外を連通させる通気部１１ｂとしている。
【００５２】
ハウス側面１１の上記通気部１１ｂは、ハウス周囲の長い範囲に設けたもので、空間が大きい荒目網や所定高さを有した横長開放部のような通気抵抗がほとんどない状態のものである。
【００５３】
ところで、ハウス本体１の外表における透明シート部分（屋根部２全体、及び前後妻面の各上方部分１２ａ，１３ａ）は、日光透過率（図２、図３のＬ０）が大きくなって、ハウス内への加温作用が大きくなり、夏季の日照時にはハウス内の温度が４０℃を超えるような苛酷な環境になることが多々ある。
【００５４】
そこで、この実施例の植物栽培温室では、ハウス内で加温された空気を外気と入れ替えるために、ハウス本体１の適所（図示例では前後妻面１２，１３の各上方部分１２ａ，１３ａ）に排気フアン５，５を設け、該排気フアン５，５でハウス内の空気を矢印Ａ１（図２参照）で示すようにハウス外に排出することで、ハウス内の不足空気を、矢印Ａ２、矢印Ａ２′、矢印Ａ３′を経て矢印Ａ３（図２参照）で示すようにハウス外からハウス内に吸引するようにしている。
【００５５】
尚、この実施例では、排気フアン５，５を前後妻面１２，１３の２箇所に設けているが、この排気フアン５は前後妻面１２，１３のいずれか一方のみに設けたものでもよい。
【００５６】
ところで、このようにハウス内の空気を排気フアン５で強制的に入れ替えるようにすると、夏季以外ではハウス内の温度を外気温近く（栽培可能な温度）に抑制できるが、夏季の日照時には外気温度が異常高温（例えば３５℃超）になることがあり、その高温外気をハウス内に導入すると、日射の熱が加わることもあって高温による種々の悪影響が発生することが予想される。
【００５７】
そこで、本願の植物栽培温室では、細霧冷房という簡易な手法でハウス内が異常高温にならないようにしている。即ち、この実施例（図１〜図３）の植物栽培温室では、次の構成を有した冷房装置を備えている。
【００５８】
まず、左右の各ハウス側面１１，１１（及び１２ｂ，１３ｂ）の外側に、それぞれ所定幅の空所４０を隔てて囲い材４，４を設置している。各空所４０，４０は、ハウス側面１１，１１の各通気部１１ｂ，１１ｂに連通している。
【００５９】
各囲い材４，４は、その外側面を構成する部分に微細網目（網目空間が０.３〜０.４mm程度）の防虫ネット４１，４１を張設している一方、上面部分を通気性のないシート４２で覆っている。尚、この各囲い材４，４は、ハウス側面１１の全域と前後妻面１２，１３側に所定長さ回り込む範囲に設けている。
【００６０】
左右各側の囲い材４，４に使用している防虫ネット３は、この実施例では、オンシツコナジラミやスリップスなどの微小害虫の侵入も阻止するために、網目空間が０.３〜０.４mm程度の微細目のものを使用している。尚、このような微細目の防虫ネット３を使用すると、防虫の点では効果が良好となるものの通常の風程度では通気性が非常に悪いものとなるが、本願では後述するように排気フアン５によるハウス内空気（及び空所内空気）の強制排出により、防虫ネット３の網目を通して外気を空所４０を介してハウス内に導入させ得るようにしている。
【００６１】
ハウス側面１１，１１と囲い材４，４と間の各空所４０，４０には、囲い材４の防虫ネット３を通して吸引した直後の外気を細霧冷房するための細霧冷房装置８，８がそれぞれ設置されている。尚、この実施例では、各細霧冷房装置８，８がハウス側面１１，１１の外側に設置されているが、該細霧冷房装置８，８の外側を防虫ネット４１付きの囲い材４，４で囲う構造となっている。
【００６２】
この各細霧冷房装置８，８は、上記空所４０，４０内に配置された配水管８０と、該配水管８０に所定間隔をもって設置した多数の細霧噴出ノズル８１，８１・・と、配水管８０を通して各細霧噴出ノズル８１，８１・・に水を圧送するポンプ８２とを有している。尚、この実施例では、細霧冷房装置８をハウス本体１の左右に２セット使用しているが、ハウスの規模によって細霧冷房装置８のセット個数を増減することができる。
【００６３】
この細霧冷房装置８の各細霧噴出ノズル８１，８１・・は、上記空所４０内において配水管８０の長さ方向に所定間隔（例えば５０〜１００cm間隔）をもって多数設置している。
【００６４】
そして、この各細霧冷房装置８，８は、ポンプ８２を作動させると、各細霧噴出ノズル８１，８１・・から細霧Ｆが噴出され、該細霧Ｆが外気温で蒸発（気化）し、その気化熱により囲い材４の防虫ネット張設部分から空所４０内に吸引された直後の外気を外気温度より低温度まで冷やすことができるものである。
【００６５】
ハウス本体１内は区画材６で上下２室に区画しているが、この区画材６は、栽培室となる下部室２２に上方（上部室２１側）からの日光を透過させる必要から、透光性を有した材質のものが採用される。
【００６６】
ところで、ハウス内で作物を栽培するのに、下部室（栽培室）２２内にも所定の日射量Ｌａ（図２、図３）が必要であるが、夏季のような日差しの強い季節では、下部室２２内が過度に昇温するのを防止するために該下部室２２内への日射量Ｌａをある程度制限することが望ましい。そこで、この実施例では、ハウス本体１内を上下に区画する上記区画材６を利用して、上部室２１内に照射した日射量Ｌ１が下部室２２側に透過する日射量Ｌａを制限するようにしている。
【００６７】
この実施例で使用している区画材６としては、例えば、遮光ネットや半透明の遮光シート（又は反射シート）等の遮光材６１を使用することができる。この区画材６（遮光材６１）による好適な遮光率は、栽培作物の種類やハウス設置環境等に応じて変化させ得るが、上部室２１側から区画材６上面に照射した照射量Ｌ１を例えば（特に限定するものではないが）３０〜７０％程度カットし得る（換言すると、該照射量Ｌ１の７０〜３０％だけ透過させ得る）ものが採用されている。即ち、図２及び図３において、上部室２１を通って区画材６（遮光材６１）上に照射した日射量Ｌ１は、その一部Ｌｂが遮光材６１によって遮光（又は反射）されて、残余の日射量Ｌａのみが下部室２２内に透過するようになっている。従って、被覆材２等を透過して遮光材６１上に照射した照射量Ｌ１の一部Ｌｂが該遮光材６１で遮光（又は反射）されることにより、下部室２２内に照射される照射量Ｌａを減少できるので、下部室２２内の作物Ｐに対する悪影響（例えば葉焼け）を防止したり、下部室２２内への温度上昇作用を抑制できる。
【００６８】
区画材６には、その中央部付近に上部室２１と下部室２２とを通気可能にするための所定大きさの通気穴６２を設けている。この通気穴６２は、直径が例えば５０cm〜１ｍ程度の大きさで、下部室の中央部付近に対応する位置に設けている。尚、この通気穴６２の大きさは、特に限定するものではなく、ハウスの容積に応じて適宜に設定できるとともに、この通気穴６２の個数は、区画材６の中央部付近であれば、１個でも複数個でもよい。
【００６９】
図１〜図３に示す実施例の植物栽培温室は、次のように機能する。まず、日中において日光がハウス内に照射するとハウス（特に上部室２１）内の空気が日射熱Ｌ０で加温されるが、排気フアン５，５を作動させていると、上部室２１内の空気が矢印Ａ１（図２参照）で示すように外気中に強制排気されることで該上部室２１内が負圧になり、そのときの不足空気を矢印Ａ２で示すように区画材６の通気穴６２を通して下部室２２から吸引し、さらに下部室２２内が負圧になることにより、矢印Ａ２′、矢印Ａ３′を経て、矢印Ａ３で示すようにハウス外の外気を各防虫ネット３，３・・を通して下部室２２内に吸引するようになる。尚、ハウス内外に上記のような気圧差が生じると、防虫ネット３の網目が微小なものでも（自然状態で通気性に乏しい性状でも）、空気が自然に高圧側（ハウス外）から低圧側（ハウス内）に流動するようになる。又、このような空気の流れは、排気フアン５，５の作動中は連続して行われるとともに、無風状態であってもハウス内の空気の入れ替えが確実に行われる。
【００７０】
他方、排気フアン５，５の作動状態で上記細霧冷房装置８，８を作動させていると、各空所４０，４０内において多数の細霧噴出ノズル８１，８１・・から細霧Ｆが連続して噴出されるが、この噴出細霧Ｆには防虫ネット３を通過して空所４０内に吸引された直後の高温外気（矢印Ａ３）が順次接触し、上記噴出細霧Ｆが外気の熱で蒸発（気化）してその気化熱により防虫ネット張設部分の内側近傍位置の広範囲にある空気が冷やされる（外気温度以下になる）。
【００７１】
そして、各空所４０，４０内で細霧冷房された冷却空気（矢印Ａ３′）は、排気フアン５，５による排気でハウス側面１１の通気部１１ｂを通って下部室２２内に吸引され、さらに区画材６の通気穴６２部分が上方に吸引されていることで、下部室２２内の周辺から矢印Ａ２′で示すように通気穴６２部分に集中していく過程で下部室２２内を広範囲に且つ均一に冷房し、続いて該通気穴６２を通って矢印Ａ２で示すように上部室２１内に吸引された後、各排気フアン５，５部分から矢印Ａ１で示すように外気中に排出される。尚、この細霧冷房装置８，８によるハウス内冷房機能は連続して行われる。
【００７２】
このように、細霧冷房装置８，８からの細霧Ｆで上記空所４０，４０内の空気温度を低下させることができると、囲い材４の防虫ネット３を通して空所４０内に吸引された空気が外気温度より低温になり、その低温空気を下部室２２内に導入できるので、外気温度が高い夏季の日照時であっても、ハウス内を外気温度以下に維持できる。
【００７３】
又、細霧冷房装置８，８は、その各細霧噴出ノズル８１，８１・・を上記空所４０，４０内に所定間隔をもって多数設置しているので、ハウス本体１内の広範囲の外周部分から細霧冷房できる。
【００７４】
従って、図１〜図３に示す実施例の植物栽培温室では、ハウス内での高温による作物育成環境や作業に従事する作業員の作業環境等がそれぞれ改善できるので、外気が高温となる季節（主として夏季）においてもハウス栽培が可能となるとともに、良好な環境で作物の育成が行えるという機能を有している。
【００７５】
又、この実施例の植物栽培温室で使用されている細霧冷房装置８は、細霧の気化熱で外気を冷やし得るものであるので、冷房装置として設備費が安価となるとともに運転コストも安価となるという機能を有している。
【００７６】
さらに、この実施例の植物栽培温室では、細霧冷房装置８，８が上記各空所４０，４０内に設置されており、運転中は排気フアン５，５によりハウス内が常に負圧になっているので（空気は囲い材４の防虫ネット３の外側からハウス内に向けて流れる）、この細霧冷房装置８，８から噴出された細霧Ｆで細霧冷房した冷却空気は囲い材４の防虫ネット３を通ってハウス外に流出することはない。つまり、防虫ネット内側の気圧が防虫ネット外側の気圧より常に低いので、防虫ネット近傍の空気は防虫ネット内側から防虫ネット外側に向けて流れることはない。
【００７７】
従って、この実施例の植物栽培温室では、細霧冷房装置８，８により空所４０内で生成した冷却空気の全量をハウス内に留めることができるので、細霧冷房装置８，８で生成した冷却空気の全量を無駄なくハウス内の冷房に利用できる。
【符号の説明】
【００７８】
１はハウス本体、２は被覆材、４は囲い材、５は排気フアン、６は区画材、８は細霧冷房装置、１１はハウス側面、１１ａは遮蔽部、１１ｂは通気部、１２，１３はハウス妻面、２１は上部室、２２は下部室、４０は空所、４１は防虫ネット、６１は遮光材、６２は通気穴、８１は細霧噴出ノズルである。
【図１】
2020014441.tif 000003
【図２】
2020014441.tif 000004
【図３】
2020014441.tif 000005
【図４】
2020014441.tif 000006
【図５】
2020014441.tif 000007
【図６】
2020014441.tif 000008
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
上部を透明な被覆材（２）で被覆してなるハウス本体（１）を備え、
上記ハウス本体（１）内を上下に通気可能な状態で区画材（６）により天井側の上部室（２１）と栽培室となる下部室（２２）との上下２室に区画し、
上記下部室（２２）の側面（１１，１１）に上記下部室（２２）の内外を連通させる通気部（１１ｂ，１１ｂ）を設け、
上記上部室（２１）の適所に該上部室（２１）内の空気をハウス外に排出する排気フアン（５）を設け、
上記下部室（２２）の側面（１１，１１）の外側に上記通気部（１１ｂ，１１ｂ）と連通する空所（４０，４０）を隔てて囲い材（４，４）を設置し、
上記囲い材（４，４）における上記下部室（２２）の側面（１１，１１）に対面する外側面に通気可能な防虫ネット（４１，４１）を張設し、
上記下部室（２２）の側面（１１，１１）と上記囲い材（４，４）との間の空所（４０，４０）に、水を細霧にして空気中に噴霧し該噴霧が外気温で蒸発するときの気化熱により上記空所（４０，４０）内の空気を細霧冷房する細霧冷房装置（８，８）を設けているとともに、
上記上部室（２１）内の空気を上記排気フアン（５）で強制排気しながら上記細霧冷房装置（８，８）を作動させることで、外気が上記囲い材（４，４）の防虫ネット（４１，４１）を通して上記空所（４０，４０）内に導入され、その導入外気が空所（４０，４０）内で上記細霧冷房装置（８，８）で細霧冷房された後、その細霧冷房された冷却空気が上記下部室（２２）の側面（１１，１１）の通気部（１１ｂ，１１ｂ）から上記下部室（２２）内に導入されて該下部室（２２）内を冷房するように構成している、
ことを特徴とする植物栽培温室。
【請求項２】
請求項１において、
上記区画材（６）の中央部付近に上記上部室（２１）と上記下部室（２２）を連通させる通気穴（６２）を設け、
上記上部室（２１）内の空気を上記排気フアン（５）で強制排気することで、上記下部室（２２）内の空気が上記通気穴（６２）から集中して上記上部室（２１）内に吸引されるように構成している、
ことを特徴とする植物栽培温室。
【手続補正２】
【補正対象書類名】明細書
【補正対象項目名】全文
【補正方法】変更
【補正の内容】
【発明の詳細な説明】
【技術分野】
【０００１】
本願発明は、草花、果菜、野菜等の植物を栽培するための植物栽培温室に関するものである。尚、本願が対象にしている植物栽培温室は、パイプ材やアングル材等で組立てた骨格体の外側を透明の被覆材（ビニールシートやガラス板）で被覆したものであって、一般に農業用ハウスと称されているものである。そして、以下の説明では、本願の植物栽培温室を農業用ハウス又は単にハウスということがある。
【背景技術】
【０００２】
基本的な農業用ハウスとして、骨格体（パイプ材やアングル材等で組立てたもの）の外側を透明な被覆材（ビニールシートやガラス板等）で覆って雨水の侵入を防止する一方で、ハウスの側面下部に防虫ネットを張設してハウス内の通気性を確保するようにしたものがある。
【０００３】
ところで、上記のようなハウスにおいては、特に夏季の日照時には、透明な被覆材を通して日射熱でハウス内が４０℃以上の高温になることが通例であり、その場合には、高温による作物への悪影響が出る一方、作業に従事する作業員の作業環境が劣悪になる。従って、夏の高温時期には、多くの農家がハウス栽培を休止しているのが現状である。
【０００４】
他方、夏季の高温時にハウス内を冷凍機で冷やすものも散見されるが、その場合は、設備費が高価となり且つ運転コスト（電気代）も高くつくので、一般に普及していない。
【０００５】
又、従来から、ハウス内が過度に高温になるのを防止するために、ハウス壁面に排気フアンを設けてハウス内の熱気を外気と強制的に入れ替えるようにしたものもあるが、この場合、夏季の日中においては外気温度が異常高温（例えば３５℃超）になることがあり、その高温外気をハウス内に吸引しても、ハウス内の空気が外気と入れ替わるものの、日射による熱が加わることもあって外気温を超える異常高温による種々の悪影響が発生することを回避できない。
【０００６】
ところで、本件出願人は、特許第６０８１００３号公報（特許文献１）に示されるように、細霧冷房装置で発生させた細霧を利用して、ハウス本体内を細霧冷房するようにした植物栽培温室の特許を取得している。
【０００７】
この特許第６０８１００３号の植物栽培温室は、図４〜図６に示すように、上部を透明な被覆材２で覆ったハウス本体１の妻面（後側妻面）１３にハウス本体１内の空気をハウス外に排出する排気フアン５を設け、ハウス本体１の側面１１に防虫ネット３を張設し、該防虫ネット３を張設したハウス本体１の側面１１の外側近傍位置に細霧冷房装置８を設けている。
【０００８】
尚、ハウス本体１内の空気は、後側妻面１３の排気フアン５により外気中に強制排気されるが、ハウスが長いものでは、ハウス本体１内の天井部付近にハウス長さ方向の適数箇所に補助送風フアン９Ａ，９Ｂ（図５参照）を設置することにより、ハウス内の全長に亘って空気がスムーズに流れるようにすることができる。
【０００９】
防虫ネット３は、微小害虫の侵入も阻止するために、網目空間が０.３〜０.４mm程度の微細目のものを使用している。
【００１０】
細霧冷房装置８は、ハウス本体側面１１（防虫ネット３）の外側近傍位置に多数の細霧噴出ノズル８１，８１・・を配置し、ポンプ８２から配水管８０を通して供給される水を各細霧噴出ノズル８１，８１・・から細霧Ｆにして大気中に噴霧させることで、該噴霧Ｆが外気温で蒸発するときの気化熱により周辺の空気を細霧冷房し得るようにしたものである。
【００１１】
そして、図４〜図６（公知例）の植物栽培温室では、排気フアン５を作動させると、図５に矢印Ａ１で示すようにハウス本体１内の空気が外気中に強制排気され（必要に応じて補助送風フアン９Ａ，９Ｂでハウス本体１内の空気を矢印Ａ２のように排気フアン５側に送る）、それによってハウス本体１内が負圧になることでハウス側面１１の防虫ネット３部分から矢印Ａ３で示すように外気がハウス本体１内に吸引されるようになっている。
【００１２】
このとき上記細霧冷房装置８を作動させていると、該細霧冷房装置８の各細霧噴出ノズル８１，８１・・から噴出する細霧Ｆが外気中で蒸発するときの気化熱により防虫ネット３の外側近傍位置にある外気を細霧冷房し、その細霧冷房された冷却空気が防虫ネット３の網目を通ってハウス本体１内に吸引され、その吸引された冷却空気によってハウス本体１内を冷房することができる。
【００１３】
このように、細霧冷房装置８を用いてハウス内の冷房を行うものでは、細霧Ｆの気化熱を利用するので、電気式の冷房装置に比して設備コストや運転コストが安価になるという利点がある。
【先行技術文献】
【特許文献】
【００１４】
【特許文献１】特許第６０８１００３号公報
【発明の概要】
【発明が解決しようとする課題】
【００１５】
ところで、図４〜図６（公知例）の植物栽培温室では、ハウス内の冷房用に上記細霧冷房装置８を使用しているので、冷房装置として設備コストや運転コストが安価になるという利点があるものの、次のような改善すべき点が知見された。
【００１６】
即ち、図４〜図６（公知例）の植物栽培温室では、細霧冷房装置８による細霧冷房を、ハウス本体側面１１に張設している防虫ネット３の外側近傍位置で行うので、排気フアン５による排気でハウス本体１内が負圧であっても、防虫ネット外側で細霧冷房された冷却空気はその一部（図５、図６の符号Ｆａ）しか防虫ネット３を通してハウス本体１内に吸引されずに、大部分（図５、図６の符号Ｆｂ）の冷却空気はそのまま大気中に飛散してしまうことが知見された。
【００１７】
従って、図４〜図６（公知例）の植物栽培温室のように、防虫ネット３の外側で細霧冷房装置８により外気を細霧冷房するのは、その細霧冷房による冷却空気の利用効率が悪いものとなっていた（無駄になる冷却空気量が多かった）。
【００１８】
そこで、本願発明は、先に特許取得した特許第６０８１００３号（図４〜図６）の植物栽培温室をさらに改良したものであって、細霧冷房装置で生成した冷却空気をハウス外に飛散させることなく全量をハウス内の冷房に用いることができるようにした植物栽培温室（農業用ハウス）を提供することを目的としている。
【課題を解決するための手段】
【００１９】
本願発明は、上記課題を解決するための手段として次の構成を有している。尚、本願発明は、植物を栽培するための植物栽培温室（農業用ハウス）を対象としたものであり、特に日差しの強い季節（主に夏季に使用されるが春季、秋季でも使用可能）の日中に好適なものである。
【００２０】
［本願請求項１の発明］
本願請求項１の発明の植物栽培温室は、
上部を透明な被覆材で被覆してなるハウス本体を備え、
ハウス本体内を上下に通気可能な状態で区画材により天井側の上部室と栽培室となる下部室との上下２室に区画し、
下部室の側面に下部室の内外を連通させる通気部を設け、
上部室の適所に該上部室内の空気をハウス外に排出する排気フアンを設け、
下部室の側面の外側に通気部と連通する空所を隔てて囲い材を設置し、
囲い材における下部室の側面に対面する外側面に通気可能な防虫ネットを張設し、
下部室の側面と囲い材との間の空所に、水を細霧にして空気中に噴霧し該噴霧が外気温で蒸発するときの気化熱により上記空所内の空気を細霧冷房する細霧冷房装置を設けているとともに、
上部室内の空気を排気フアンで強制排気しながら細霧冷房装置を作動させることで、外気が囲い材の防虫ネットを通して空所内に導入され、その導入外気が空所内で細霧冷房装置で細霧冷房された後、その細霧冷房された冷却空気が下部室の側面の通気部から下部室内に導入されて下部室内を冷房するように構成している、
ことを特徴としている。
【００２１】
尚、以下の説明では、上記「下部室の側面」を簡略して「下部室側面」と表現することがある。
【００２２】
ハウス本体は、パイプ材やアングル材等で組立てた骨格体の外側上部を透明の被覆材（ビニールシートやガラス板）で被覆して構成されたものである。
【００２３】
ハウス本体内を上下２室に区画する区画材は、栽培室となる下部室に上方（上部室側）からの日光を透過させる必要から、透光性を有した材質のものが採用される。尚、この区画材としては、ある程度の遮光性を有した遮光ネット（通気性あり）や半透明の遮光シート又は反射シート（通気性なし）等が使用可能であるが、遮光ネットを使用したものでもある程度の空気通過抵抗を有するものが使用される。
【００２４】
ハウス本体の下部室側面には、下部室内外を連通させる通気部を設けているが、この通気部は、下部室周囲の長い範囲に設けたもので、空間が大きい荒目網や所定高さを有した横長開放部のような通気抵抗がほとんどない状態のものである。
【００２５】
下部室側面の外側には、所定幅の空所を隔てて囲い材を設置し、該囲い材の外側面に防虫ネットを張設している。この防虫ネットは、最近では、オンシツコナジラミやスリップスなどの微小害虫の侵入も阻止するために、網目空間が０.３〜０.４mm程度の微細目のものを多用している。
【００２６】
そして、本願の植物栽培温室では、上記排気フアンを作動させると、上部室内が負圧になることで、下部室内の空気が区画材設置部分を通して上部室側に流れ、さらに下部室側面の通気部、上記空所、及び囲い材の防虫ネットを介して外気が下部室内に吸引されるようになっている。
【００２７】
上記細霧冷房装置は、水を細霧（非常に微細な水滴）にして空気（高温空気）中に噴霧させることで、該細霧が空気中で蒸発するときの気化熱により空気を冷やすことができるようにしたものである。
【００２８】
そして、この細霧冷房装置は、下部室側面と囲い材との間の空所内において、囲い材の防虫ネットの張設範囲に亘ってそれぞれ所定間隔をもって多数の細霧噴出ノズルを設置したものである。
【００２９】
この請求項１の植物栽培温室は、次のように機能する。まず、日中において日光がハウス内に照射すると、その日光が届く上部室内及び下部室内が日射熱でそれぞれ加温されるが、排気フアンを作動させていると、上部室内の空気が排気フアンで強制的に排出されるので、ハウス内の空気の流れは下部室側から上部室側への一方通行になり、もし上部室内の空気が過度に加温されても、該上部室内の加温空気が下部室内に流入することがない。又、排気フアンを作動させていると、ハウス内の空気が外気中に強制排気されることで該ハウス内が負圧になり、そのときの不足空気（外気）をハウス外から囲い材の防虫ネットを通して空所内に吸引し、さらに該空所内の空気を下部室側面の通気部を通して下部室内に吸引するようになる。尚、ハウス内外に上記のような気圧差が生じると、防虫ネットの網目が微小なものでも（自然状態で通気性に乏しい性状でも）、空気が自然に高圧側（ハウス外）から低圧側（ハウス内）に流動するようになる。又、このような空気の流れは、排気フアンの作動中は連続して行われるとともに、無風状態であってもハウス内の空気の入れ替えが確実に行われる。
【００３０】
このように排気フアン作動状態で上記細霧冷房装置を作動させていると、上記空所内において多数の細霧噴出ノズルから細霧が連続して噴出されるが、この噴出細霧には防虫ネットを通過して空所内に吸引された直後の高温外気（例えば３０℃超の外気）が順次接触し、上記噴出細霧が外気の熱で蒸発（気化）してその気化熱により防虫ネット内側（空所内）の広範囲にある空気が冷やされる（外気温度以下になる）。
【００３１】
そして、上記細霧冷房された冷却空気は、上記排気フアンが作動していることにより、空所から下部室側面の通気部を通して下部室（栽培室となる）内の広範囲の空間に拡散して該下部室内の全域を冷房した後、区画材設置部分及び上部室内を経て外気中に排出される。尚、この細霧冷房装置によるハウス内冷房機能は連続して行われる。
【００３２】
この請求項１の発明の植物栽培温室では、細霧冷房装置が下部室側面と囲い材との間の空所に設置されており、しかも運転中は排気フアンにより下部室内が常に負圧になっているので（空気は防虫ネットの外側から空所を介して下部室内に向けて流れる）、この細霧冷房装置から噴出された細霧で細霧冷房した冷却空気は防虫ネットを通ってハウス外に流出することはない。つまり、上記空所内の気圧が防虫ネット外側の外気圧より常に低いので、空所内で冷やされた冷却空気は防虫ネット内側から防虫ネット外側に向けて流れることはない。
【００３３】
従って、この請求項１の発明の植物栽培温室では、細霧冷房装置により空所内で生成した冷却空気の全量を栽培室となる下部室内に吸引させることができる。
【００３４】
［本願請求項２の発明］
本願請求項２の発明は、上記請求項１の植物栽培温室において、
区画材の中央部付近に上部室と下部室を連通させる通気穴を設け、
上部室内の空気を排気フアンで強制排気することで、下部室内の空気が通気穴から集中して上部室内に吸引されるように構成している、
ことを特徴としている。
【００３５】
区画材は、上部室と下部室とを通気可能にする必要があるが、その通気許容構造として、区画材の中央部付近に所定大きさの通気穴を設けている。この通気穴は、直径が例えば５０cm〜１ｍ程度の大きさで、下部室の中央部付近に対応する位置に設けている。尚、この通気穴の大きさ又は個数は、特に限定するものではなく、ハウスの容積に応じて適宜に設定できる。
【００３６】
本願請求項２の発明の植物栽培温室では、請求項１に記載した排気フアン及び細霧冷房装置を作動させていると、栽培室となる下部室の全域が細霧冷房装置で細霧冷房された後、その下部室の空気は、下部室の中央部付近に位置する区画材の通気穴から集中して上部室に吸引される。そして、このように下部室の空気が下部室中央部付近から集中して上部室に吸引されるようにすると、細霧冷房装置により上記空所内から下部室内に流入した冷却空気を該下部室内の広範囲の空間から吸引することができる。
【発明の効果】
【００３７】
［本願請求項１の発明の効果］
本願請求項１の発明の植物栽培温室は、次のような効果がある。
（１）  この請求項１の植物栽培温室は、排気フアンによりハウス内の空気をハウス外に排出することで、外気を囲い材の防虫ネット張設部分から空所を介してハウスの下部室内に導入させるようにしたものであるが、空所内の空気が細霧冷房装置からの細霧による気化熱で外気温度より冷やされるので、栽培室となる下部室内の空気を外気温度以下に維持させることができる。
【００３８】
従って、ハウスの下部室（栽培室）内での高温による作物育成環境や作業に従事する作業員の作業環境等がそれぞれ改善できるので、外気が高温となる季節（主として夏季）においてもハウス栽培が可能となるとともに、良好な環境で作物の育成が行えるという効果がある。
（２）  この請求項１の植物栽培温室で使用されている細霧冷房装置は、細霧の気化熱で外気を冷房し得るものであるので、冷房装置として設備費が安価となるとともに運転コストも安価となるという効果がある。
（３）  細霧冷房装置が設置されている空所内は、運転中は排気フアンによりハウス本体内を介して常に負圧になっていることで、空気の流れが囲い材の防虫ネット外側からハウスの下部室内への一方向のみとなる（つまり、細霧冷房装置により空所内で生成された冷却空気は囲い材の防虫ネットを通ってハウス外に流出することがない）。
【００３９】
従って、細霧冷房装置で生成した冷却空気の全量を無駄なくハウス内の冷房に利用できるという効果がある。即ち、特許文献１の植物栽培温室に比して細霧冷房装置によるハウス内の冷房機能を大幅にアップすることができる。
（４）  ハウス本体内を区画材により上部室と下部室（栽培室）に区画し、細霧冷房装置で生成した冷却空気の全量を下部室に導入するようにしているので、ハウス内における実質的に冷房が必要なスペースである下部室（容積が狭い）に集中して冷却空気を導入することができ、ハウス内全体（容積が広い）を同時に冷房するのに比して冷房効率が良好になる。
【００４０】
［本願請求項２の発明の効果］
本願請求項２の発明は、上記請求項１の植物栽培温室において、ハウス本体内を区画材により上部室と下部室に区画し、区画材の中央部付近（下部室の中央部付近に相当する位置）に通気穴を設けて、上部室内の空気を排気フアンで強制排気することで、下部室内の空気が通気穴から集中して上部室内に吸引されるように構成している。
【００４１】
そして、この請求項２の発明の植物栽培温室では、下部室内で細霧冷房装置により生成された冷却空気が区画材の中央部付近に位置する通気穴から集中して上部室に吸引されるようになっている。
【００４２】
従って、この請求項２の発明では、細霧冷房装置により下部室内で生成された冷却空気を該下部室内の広範囲の空間から吸引することができるので、上記請求項１の効果に加えて、栽培室となる下部室内の全域をほぼ均一に冷房することができるという効果がある。
【図面の簡単な説明】
【００４３】
【図１】本願発明の実施例に係る植物栽培温室（ハウス）の斜視図である。
【図２】図１のハウスにおける長手方向の縦断面図（図１のII−II断面図）である。
【図３】図１のハウスにおける幅方向の縦断面図（図１のIII−III断面図）である。
【図４】公知（特許文献１）の植物栽培温室（ハウス）の斜視図である。
【図５】図４のハウスにおける長手方向の縦断面図（図４のＶ−Ｖ断面図）である。
【図６】図４のハウスにおける幅方向の縦断面図（図４のVI−VI断面図）である。
【発明を実施するための形態】
【００４４】
以下、図１〜図３を参照して本願実施例の植物栽培温室を説明する。尚、以下の実施例の説明においても、本願の植物栽培温室を単にハウスということがある。
【００４５】
図１〜図３に示す実施例の植物栽培温室（ハウス）は、パイプ材やアングル材等で組立てた骨格体の外側を透明の被覆材２で被覆してハウス本体１を構成している。尚、各図にはハウス本体１の骨格体（パイプ材やアングル材等）は図示省略している。
【００４６】
この実施例で採用しているハウス本体１の大きさ・形状は、特に限定するものではないが、ハウス妻面１２（及び１３）が例えば幅６〜１０ｍ、高さ４〜５ｍ程度、前後長さが例えば３０〜５０ｍ程度の大きさのカマボコ型に形成している。
【００４７】
ハウス本体１内は、区画材６により天井側の上部室２１と栽培室となる下部室２２との上下２室に区画している。尚、栽培室となる下部室２２内の容積は、ハウス本体１内の全容積より当然に狭くなっている。
【００４８】
ハウス本体１の上部室２１を被覆する屋根部２には透明シートを使用している。ハウス本体１の下部室２２における左右各側の側面（以下、これを下部室側面という）１１，１１には、後述するようにそれぞれ上部に通気部１１ｂを設け下部に遮蔽部１１ａを設けている。尚、この実施例では、前後妻面１２，１３の各下方部分１２ｂ，１３ｂにおける左右各側の所定幅も、下部室側面１１と同様に上部に通気部１１ｂを設けている一方で下部に遮蔽部１１ａを設けており、この前後妻面１２，１３の各下方部分１２ｂ，１３ｂにおける通気部１１ｂと遮蔽部１１ａを設けた部分も下部室側面１１として扱う。
【００４９】
前後妻面１２，１３の各上方部分１２ａ，１３ａには、透明シートが張設されている。前後妻面１２，１３の各下方部分１２ｂ，１３ｂには、開閉可能な出入口（扉）１５，１６（図１参照）を設けている。
【００５０】
屋根部２の透明シート及び前後妻面１２，１３の上方部分１２ａ，１３ａの透明シート
は、雨水の透過を阻止する防水性と日光の透過を許容する透光性とを有したビニールシートが採用されている。
【００５１】
左右各側の下部室側面１１，１１（及び前後妻面の下方部分１２ｂ，１３ｂ）は、下部をシート材からなる遮蔽部１１ａとする一方で上部の所定高さ範囲を下部室内外を連通させる通気部１１ｂとしている。
【００５２】
下部室側面１１の上記通気部１１ｂは、下部室周囲の長い範囲に設けたもので、空間が大きい荒目網や所定高さを有した横長開放部のような通気抵抗がほとんどない状態のものである。
【００５３】
ところで、ハウス本体１の外表における透明シート部分（屋根部２全体、及び前後妻面の各上方部分１２ａ，１３ａ）は、日光透過率（図２、図３のＬ０）が大きくなって、ハウス内への加温作用が大きくなり、夏季の日照時にはハウス内の温度が４０℃を超えるような苛酷な環境になることが多々ある。
【００５４】
そこで、この実施例の植物栽培温室では、ハウス内で加温された空気を外気と入れ替えるために、ハウス本体１の上部室２１（図示例では前後妻面１２，１３の各上方部分１２ａ，１３ａ）に排気フアン５，５を設け、該排気フアン５，５でハウス内の空気を矢印Ａ１（図２参照）で示すようにハウス外に排出することで、ハウス内の不足空気を、矢印Ａ２、矢印Ａ２′、矢印Ａ３′を経て矢印Ａ３（図２参照）で示すようにハウス外からハウス内に吸引するようにしている。
【００５５】
尚、この実施例では、排気フアン５，５を上部室２１における前後妻面１２，１３の２箇所に設けているが、この排気フアン５は前後妻面１２，１３のいずれか一方のみに設けたものでもよい。
【００５６】
ところで、このようにハウス内の空気を排気フアン５で強制的に入れ替えるようにすると、夏季以外ではハウス内の温度を外気温近く（栽培可能な温度）に抑制できるが、夏季の日照時には外気温度が異常高温（例えば３５℃超）になることがあり、その高温外気をハウス内に導入すると、日射の熱が加わることもあって高温による種々の悪影響が発生することが予想される。
【００５７】
そこで、本願の植物栽培温室では、細霧冷房という簡易な手法でハウス内（特に下部室２２内）が異常高温にならないようにしている。即ち、この実施例（図１〜図３）の植物栽培温室では、次の構成を有した冷房装置を備えている。
【００５８】
まず、左右の各下部室側面１１，１１（及び１２ｂ，１３ｂ）の外側に、それぞれ所定幅の空所４０を隔てて囲い材４，４を設置している。各空所４０，４０は、下部室側面１１，１１の各通気部１１ｂ，１１ｂに連通している。
【００５９】
各囲い材４，４は、その外側面を構成する部分に微細網目（網目空間が０.３〜０.４mm程度）の防虫ネット４１，４１を張設している一方、上面部分を通気性のないシート４２で覆っている。尚、この各囲い材４，４は、下部室側面１１の全域と前後妻面１２，１３側に所定長さ回り込む範囲に設けている。
【００６０】
左右各側の囲い材４，４に使用している防虫ネット３は、この実施例では、オンシツコナジラミやスリップスなどの微小害虫の侵入も阻止するために、網目空間が０.３〜０.４mm程度の微細目のものを使用している。尚、このような微細目の防虫ネット３を使用すると、防虫の点では効果が良好となるものの通常の風程度では通気性が非常に悪いものとなるが、本願では後述するように排気フアン５によるハウス内空気（及び空所内空気）の強制排出により、防虫ネット３の網目を通して外気を空所４０を介してハウス内に導入させ得るようにしている。
【００６１】
下部室側面１１，１１と囲い材４，４と間の各空所４０，４０には、囲い材４の防虫ネット３を通して吸引した直後の外気を細霧冷房するための細霧冷房装置８，８がそれぞれ設置されている。尚、この実施例では、各細霧冷房装置８，８が下部室側面１１，１１の外側に設置されているが、該細霧冷房装置８，８の外側を防虫ネット４１付きの囲い材４，４で囲う構造となっている。
【００６２】
この各細霧冷房装置８，８は、上記空所４０，４０内に配置された配水管８０と、該配水管８０に所定間隔をもって設置した多数の細霧噴出ノズル８１，８１・・と、配水管８０を通して各細霧噴出ノズル８１，８１・・に水を圧送するポンプ８２とを有している。尚、この実施例では、細霧冷房装置８をハウス本体１の左右に２セット使用しているが、ハウスの規模によって細霧冷房装置８のセット個数を増減することができる。
【００６３】
この細霧冷房装置８の各細霧噴出ノズル８１，８１・・は、上記空所４０内において配水管８０の長さ方向に所定間隔（例えば５０〜１００cm間隔）をもって多数設置している。
【００６４】
そして、この各細霧冷房装置８，８は、ポンプ８２を作動させると、各細霧噴出ノズル８１，８１・・から細霧Ｆが噴出され、該細霧Ｆが外気温で蒸発（気化）し、その気化熱により囲い材４の防虫ネット張設部分から空所４０内に吸引された直後の外気を外気温度より低温度まで冷やすことができるものである。
【００６５】
ハウス本体１内は区画材６で上下２室に区画しているが、この区画材６は、栽培室となる下部室２２に上方（上部室２１側）からの日光を透過させる必要から、透光性を有した材質のものが採用される。
【００６６】
ところで、ハウス内で作物を栽培するのに、下部室（栽培室）２２内にも所定の日射量Ｌａ（図２、図３）が必要であるが、夏季のような日差しの強い季節では、下部室２２内が過度に昇温するのを防止するために該下部室２２内への日射量Ｌａをある程度制限することが望ましい。そこで、この実施例では、ハウス本体１内を上下に区画する上記区画材６を利用して、上部室２１内に照射した日射量Ｌ１が下部室２２側に透過する日射量Ｌａを制限するようにしている。
【００６７】
この実施例で使用している区画材６としては、例えば、遮光ネットや半透明の遮光シート（又は反射シート）等の遮光材６１を使用することができる。この区画材６（遮光材６１）による好適な遮光率は、栽培作物の種類やハウス設置環境等に応じて変化させ得るが、上部室２１側から区画材６上面に照射した照射量Ｌ１を例えば（特に限定するものではないが）３０〜７０％程度カットし得る（換言すると、該照射量Ｌ１の７０〜３０％だけ透過させ得る）ものが採用されている。即ち、図２及び図３において、上部室２１を通って区画材６（遮光材６１）上に照射した日射量Ｌ１は、その一部Ｌｂが遮光材６１によって遮光（又は反射）されて、残余の日射量Ｌａのみが下部室２２内に透過するようになっている。従って、被覆材２等を透過して遮光材６１上に照射した照射量Ｌ１の一部Ｌｂが該遮光材６１で遮光（又は反射）されることにより、下部室２２内に照射される照射量Ｌａを減少できるので、下部室２２内の作物Ｐに対する悪影響（例えば葉焼け）を防止したり、下部室２２内への温度上昇作用を抑制できる。
【００６８】
区画材６には、その中央部付近に上部室２１と下部室２２とを通気可能にするための所定大きさの通気穴６２を設けている。この通気穴６２は、直径が例えば５０cm〜１ｍ程度の大きさで、下部室の中央部付近に対応する位置に設けている。尚、この通気穴６２の大きさは、特に限定するものではなく、ハウスの容積に応じて適宜に設定できるとともに、この通気穴６２の個数は、区画材６の中央部付近であれば、１個でも複数個でもよい。
【００６９】
図１〜図３に示す実施例の植物栽培温室は、次のように機能する。まず、日中において日光がハウス内に照射するとハウス（特に上部室２１）内の空気が日射熱Ｌ０で加温されるが、排気フアン５，５を作動させていると、上部室２１内の空気が矢印Ａ１（図２参照）で示すように外気中に強制排気されることで該上部室２１内が負圧になり、そのときの不足空気を矢印Ａ２で示すように区画材６の通気穴６２を通して下部室２２から吸引し、さらに下部室２２内が負圧になることにより、矢印Ａ２′、矢印Ａ３′を経て、矢印Ａ３で示すようにハウス外の外気を各防虫ネット３，３・・を通して下部室２２内に吸引するようになる。尚、ハウス内外に上記のような気圧差が生じると、防虫ネット３の網目が微小なものでも（自然状態で通気性に乏しい性状でも）、空気が自然に高圧側（ハウス外）から低圧側（ハウス内）に流動するようになる。又、このような空気の流れは、排気フアン５，５の作動中は連続して行われるとともに、無風状態であってもハウス内の空気の入れ替えが確実に行われる。
【００７０】
他方、排気フアン５，５の作動状態で上記細霧冷房装置８，８を作動させていると、各空所４０，４０内において多数の細霧噴出ノズル８１，８１・・から細霧Ｆが連続して噴出されるが、この噴出細霧Ｆには防虫ネット３を通過して空所４０内に吸引された直後の高温外気（矢印Ａ３）が順次接触し、上記噴出細霧Ｆが外気の熱で蒸発（気化）してその気化熱により防虫ネット張設部分の内側近傍位置の広範囲にある空気が冷やされる（外気温度以下になる）。
【００７１】
そして、各空所４０，４０内で細霧冷房された冷却空気（矢印Ａ３′）は、排気フアン５，５による排気で下部室側面１１の通気部１１ｂを通って下部室２２内に吸引され、さらに区画材６の通気穴６２部分が上方に吸引されていることで、下部室２２内の周辺から矢印Ａ２′で示すように通気穴６２部分に集中していく過程で下部室２２内を広範囲に且つ均一に冷房し、続いて該通気穴６２を通って矢印Ａ２で示すように上部室２１内に吸引された後、各排気フアン５，５部分から矢印Ａ１で示すように外気中に排出される。尚、この細霧冷房装置８，８によるハウス内冷房機能は連続して行われる。
【００７２】
このように、細霧冷房装置８，８からの細霧Ｆで上記空所４０，４０内の空気温度を低下させることができると、囲い材４の防虫ネット３を通して空所４０内に吸引された空気が外気温度より低温になり、その低温空気を下部室２２内に導入できるので、外気温度が高い夏季の日照時であっても、ハウス内を外気温度以下に維持できる。
【００７３】
又、細霧冷房装置８，８は、その各細霧噴出ノズル８１，８１・・を上記空所４０，４０内に所定間隔をもって多数設置しているので、下部室２２の広範囲の外周部分から細霧冷房できる。
【００７４】
従って、図１〜図３に示す実施例の植物栽培温室では、ハウス内での高温による作物育成環境や作業に従事する作業員の作業環境等がそれぞれ改善できるので、外気が高温となる季節（主として夏季）においてもハウス栽培が可能となるとともに、良好な環境で作物の育成が行えるという機能を有している。
【００７５】
又、この実施例の植物栽培温室で使用されている細霧冷房装置８は、細霧の気化熱で外気を冷やし得るものであるので、冷房装置として設備費が安価となるとともに運転コストも安価となるという機能を有している。
【００７６】
さらに、この実施例の植物栽培温室では、細霧冷房装置８，８が上記各空所４０，４０内に設置されており、運転中は排気フアン５，５によりハウス内が常に負圧になっているので（空気は囲い材４の防虫ネット３の外側からハウス内に向けて流れる）、この細霧冷房装置８，８から噴出された細霧Ｆで細霧冷房した冷却空気は囲い材４の防虫ネット３を通ってハウス外に流出することはない。つまり、防虫ネット内側の気圧が防虫ネット外側の気圧より常に低いので、防虫ネット近傍の空気は防虫ネット内側から防虫ネット外側に向けて流れることはない。
【００７７】
従って、この実施例の植物栽培温室では、細霧冷房装置８，８により空所４０内で生成した冷却空気の全量をハウス内に留めることができるので、細霧冷房装置８，８で生成した冷却空気の全量を無駄なくハウス内の冷房に利用できる。
【符号の説明】
【００７８】
１はハウス本体、２は被覆材、４は囲い材、５は排気フアン、６は区画材、８は細霧冷房装置、１１は下部室側面、１１ａは遮蔽部、１１ｂは通気部、１２，１３はハウス妻面、２１は上部室、２２は下部室、４０は空所、４１は防虫ネット、６１は遮光材、６２は通気穴、８１は細霧噴出ノズルである。